(57)【要約】 【課題】  なるべく多くの共通部品を使用しながら効率よく異なる表示仕様の時計を構成する。【解決手段】  表示体を変更して新規機能の時計を作成するに当り、ステップモータ（第２のモータ）と駆動用の輪列（第２の輪列）は変更せず、表示体とその表示体を駆動する制御回路（表示変更時のステップ数など）を変更するのみで対応する。変更する表示体としては、曜板、ビッグデートの上位桁、２４時間制の時針、ワールドタイム円板などがある。更に、駆動制御の変更にあたり、非接触通信によって制御方法を変更することにより、制御回路も共通に使用可能となり、ムーブメントの一層の共通使用化が可能である。【選択図】      図１２
2009103658.tif 000002
【特許請求の範囲】
【請求項１】
時計が有する機能を表示する表示体と、該表示体を駆動するための駆動装置と、複数の歯車で構成され、該駆動装置の動力を前記表示体に伝達し駆動するための輪列と、前記駆動装置の駆動制御を実施する制御手段とを有する電子時計において、前記輪列が、前記輪列を構成する前記複数の歯車の構成を変更すること無く、異なる機能の表示に対応した複数種類の前記表示体を駆動可能に構成され、前記制御手段は前記複数種類の表示体の各々に対して駆動制御方法を変更可能に構成されていることを特徴とするアナログ式電子時計。
【請求項２】
前記駆動装置がステップモータであり、該ステップモータの前記複数種類の表示体を１周させることが可能なステップ数が、前記複数種類の表示体の各駆動周期数の最小公倍数、もしくは、その整数倍であることを特徴とする請求項１に記載のアナログ式電子時計。
【請求項３】
前記表示体が、日の１０位桁、曜、２４時間制の時、ワールドタイム円板の少なくともいずれか１つを表示するものであることを特徴とする請求項１又は請求項２に記載のアナログ式電子時計。
【請求項４】
前記複数種類の表示体が、少なくとも曜を表示するものと２４時間制の時を表示するものであり、前記ステップモータの1周ステップ数が１６８かその整数倍であることを特徴とする請求項２に記載のアナログ式電子時計。
【請求項５】
前記複数種類の表示体が、時計における厚さ方向に異なる位置に取り付けられる表示体を含み、前記輪列を構成する複数の歯車のうち、１つの歯車の変更にて該異なる位置に取り付けられる表示体の駆動に対応することを特徴とする請求項１乃至請求項４のいずれか１つに記載のアナログ式電子時計。
【請求項６】
前記制御手段が、前記駆動装置と前記輪列と前記制御手段が時計に組み込まれた状態で、
前記表示体の駆動制御方法が変更可能に構成されていることを特徴とする請求項１乃至請求項５のいずれか１つに記載のアナログ式電子時計。
【請求項７】
外部からのデータを入力する通信手段を有し、該通信手段が入力したデータに基づき、前記制御手段が前記表示体の駆動制御方法を変更することを特徴とする請求項６に記載のアナログ式電子時計。
【請求項８】
前記通信手段が非接触通信手段であることを特徴とする請求項７に記載のアナログ式電子時計。
【請求項９】
前記通信手段が、前記ステップモータのコイルを受信用アンテナとして磁気的な通信を行う通信手段であることを特徴とする請求項８に記載のアナログ式電子時計。
【請求項１０】
前記制御手段が、書き換え可能なプログラムＲＯＭを有するマイクロコンピュータであり、前記通信手段により入力したデータに基づき、該プログラムＲＯＭを書き換えることで前記表示体の駆動制御方法を変更することを特徴とする請求項７乃至請求項９のいずれか１つに記載のアナログ式電子時計。
【請求項１１】
前記制御手段が、書き換え可能な機能選択用メモリを有し、前記通信手段により入力したデータに基づき、該機能選択用メモリを書き換えることで前記表示体の駆動制御方法を変更することを特徴とする請求項７乃至請求項９のいずれか１つに記載のアナログ式電子
時計。
【発明の詳細な説明】
【技術分野】
【０００１】
本発明は、アナログ式電子時計に関し、更に詳しくは、なるべく共通のムーブメント部品を基礎に用いて、通常の時刻表示に加えて異なる種類の表示機能を有するアナログ式電子時計を構成することができるアナログ式電子時計に関する。
【背景技術】
【０００２】
従来、このように共通の基礎ムーブメントを用いて異なる種類の表示や機能を有するアナログ式電子時計を構成することが、生産効率よく、他品種の時計を製造できることから実施されてきた（例えば、特許文献１、特許文献２参照。）。特許文献１に記載された電子時計は、同一の時計のモータ、輪列構成及び表示体のまま、制御回路を入れ替えることによって、通常の時刻表示の時計をクロノモードに変更できるようにしたものである。
【０００３】
特許文献２に記載された電子時計は、地板及び輪列受に各機能に対応した輪列の中心を設けることで、共通のモータ、地板及び輪列受を用いて、各表示機能に対応した表示体、輪列及び制御回路を入れ替えることによって各々の表示機能を有するムーブメントを構成するようにしたものである。
【特許文献１】特開平３−１３８８７号公報
【特許文献２】ＷＯ９２／０１９７７号公報
【発明の開示】
【発明が解決しようとする課題】
【０００４】
しかし、特許文献１に記載された電子時計では、組み替える必要のある部品はないが、切り替えられる表示機能も限定されたものになり、時計の顔である文字板面のデザインも代わり映えがしない。また、特許文献２に記載された時計では、各々の異なる表示に対応して制御回路及び輪列構成を変える必要がある。従って、組み替え用の制御回路や歯車の種類が増える。ムーブメントの中で共通に用いられる部品が少ないという問題があった。このように、従来の電子時計では、必ずしも十分効率的に表示機能の切り替えができるわけではなかった。
【０００５】
本発明は、このような従来の問題を解決するためになされたものであり、その目的は、共通の基礎ムーブメントを用いて十分効率的に異なる種類の表示機能を有するアナログ式電子時計を製造することができるアナログ式電子時計を提供することである。
【課題を解決するための手段】
【０００６】
前述した目的を達成するための本発明の手段は、時計が有する機能を表示する表示体と、該表示体を駆動するための駆動装置と、複数の歯車で構成され、該駆動装置の動力を前記表示体に伝達し駆動するための輪列と、前記駆動装置の駆動制御を実施する制御手段とを有する電子時計において、前記輪列が、前記輪列を構成する前記複数の歯車の構成を変更すること無く、異なる機能の表示に対応した複数種類の前記表示体を駆動可能に構成され、前記制御手段は前記複数種類の表示体の各々に対して駆動制御方法を変更可能に構成されていることを特徴とする。
【０００７】
また、前記駆動装置がステップモータであり、該ステップモータの前記複数種類の表示体を１周させることが可能なステップ数が、前記複数種類の表示体の各駆動周期数の最小公倍数、もしくは、その整数倍であることを特徴とする。
【０００８】
また、前記表示体が、日の１０位桁、曜、２４時間制の時、ワールドタイム円板の少な
くともいずれか１つを表示するものであることを特徴とする。
【０００９】
また、前記複数種類の表示体が、少なくとも曜を表示するものと２４時間制の時を表示するものであり、前記ステップモータの1周ステップ数が１６８かその整数倍であることを特徴とする。
【００１０】
また、前記複数種類の表示体が、時計における厚さ方向に異なる位置に取り付けられる表示体を含み、前記輪列を構成する複数の歯車のうち、１つの歯車の変更にて該異なる位置に取り付けられる表示体の駆動に対応することを特徴とする。
【００１１】
また、前記制御手段が、前記駆動装置と前記輪列と前記制御手段が時計に組み込まれた状態で、
前記表示体の駆動制御方法が変更可能に構成されていることを特徴とする。
【００１２】
また、外部からのデータを入力する通信手段を有し、該通信手段が入力したデータに基づき、前記制御手段が前記表示体の駆動制御方法を変更することを特徴とする。
【００１３】
また、前記通信手段が非接触通信手段であることを特徴とする。
【００１４】
また、前記通信手段が、前記ステップモータのコイルを受信用アンテナとして磁気的な通信を行う通信手段であることを特徴とする。
【００１５】
また、前記制御手段が、書き換え可能なプログラムＲＯＭを有するマイクロコンピュータであり、前記通信手段により入力したデータに基づき、該プログラムＲＯＭを書き換えることで前記表示体の駆動制御方法を変更することを特徴とする。
【００１６】
また、前記制御手段が、書き換え可能な機能選択用メモリを有し、前記通信手段により入力したデータに基づき、該機能選択用メモリを書き換えることで前記表示体の駆動制御方法を変更することを特徴とする。
【発明の効果】
【００１７】
以上説明したように、本発明によれば、時計が有する機能を表示する表示体と、該表示体を駆動するための駆動装置と、複数の歯車で構成され、該駆動装置の動力を前記表示体に伝達し駆動するための輪列と、前記駆動装置の駆動制御を実施する制御手段とを有する電子時計において、前記輪列が、前記輪列を構成する前記複数の歯車の構成を変更すること無く、異なる機能の表示に対応した複数種類の前記表示体を駆動可能に構成され、前記制御手段は前記複数種類の表示体の各々に対して駆動制御方法を変更可能に構成されているようにしたので、なるべく共通の基本ムーブメントを用いて十分効率よく複数の異なる表示機能に対応できるアナログ電子時計を提供することができる。
【００１８】
また、前記駆動装置がステップモータであり、該ステップモータの前記複数種類の表示体を１周させることが可能なステップ数が、前記各表示体の駆動周期数の最小公倍数、もしくは、その整数倍であるようにしたので、共通のモータを用いてモータのステップ数を最適に設定することができるようになる。
【００１９】
また、前記表示体が、日の１０位桁、曜、２４時間制の時、ワールドタイム円板の少なくともいずれか１つを表示するものであるようにしたので、共通の輪列構造を用いて、複数の異なる表示機能に対応することができる。
【００２０】
また、前記複数種類の表示体が、少なくとも曜を表示するものと２４時間制の時を表示
するものであり、前記ステップモータの1周ステップ数が１６８かその整数倍であるようにしたので、共通のモータを用いて曜を表示する表示体と２４時間制の時を表示する表示体とを駆動することができる。
【００２１】
また、前記複数種類の表示体が、時計における厚さ方向に異なる位置に取り付けられる表示体を含み、前記輪列を構成する複数の歯車のうち、１つの歯車の変更にて該異なる位置に取り付けられる表示体の駆動に対応するようにしたので、時計の厚さ方向に高さが異なる位置に取り付けられた異なる表示体の駆動を前記輪列の一つの歯車の変更だけで対応できるので、基本ムーブメントのかなりの部分を共通化することができる。
【００２２】
また、前記制御手段が、前記駆動装置と前記輪列と前記制御手段が時計に組み込まれた状態で、
前記表示体の駆動制御方法が変更可能に構成されているようにしたので、基本ムーブメントを共通使用できて、生産管理を効率よくできる。
【００２３】
また、外部からのデータを入力する通信手段を有し、該通信手段が入力したデータに基づき、前記制御手段が前記表示体の駆動制御方法を変更するようにしたので、基本ムーブメントを共通使用できて、生産管理を効率よくできる。
【００２４】
また、前記通信手段が非接触通信手段であるようにしたので、時計に通信用接点やオプション選択用の端子などを備える必要がないのでムーブメントの小型化に寄与することができた。
【００２５】
また、前記通信手段が、前記ステップモータのコイルを受信用アンテナとして磁気的な通信を行う通信手段であるようにしたので、通信のための新規部品の追加を不要にすることができた。
【００２６】
また、前記制御手段が、書き換え可能なプログラムＲＯＭを有するマイクロコンピュータであり、前記通信手段により入力したデータに基づき、該プログラムＲＯＭを書き換えることで前記表示体の駆動制御方法を変更するようにしたので、共通の制御回路を用いて異なる表示機能を有する時計を構成することができた。
【００２７】
また、前記制御手段が、書き換え可能な機能選択用メモリを有し、前記通信手段により入力したデータに基づき、該機能選択用メモリを書き換えることで前記表示体の駆動制御方法を変更するようにしたので、ＥＰＲＯＭ面積を減らすことができ、ＩＣの小型化及びコストダウンに寄与することができた。
【発明を実施するための最良の形態】
【００２８】
以下、本発明の実施の形態を図面に基づいて詳細に説明する。図１は本発明の第１の実施の形態である日、曜の表示機能付きアナログ式電子腕時計の平面図、図２はこの時計のムーブメントの駆動輪列を示す平面図、図３はこの時計のムーブメント断面を示す要部断面図である。図４はこの時計のシステム構成を示すブロック図である。
【００２９】
まず、第１の実施の形態の構成について図１〜図４を参照して説明する。図１において、アナログ式電子時計としての腕時計１は、通常時刻の表示以外に日、曜を表示する機能を有する腕時計である。ケース２の中に配設された文字板３下に組み込まれたムーブメント４の上部には、共に外装部品としての日表示機能を表示する表示体である日車５並びに曜表示機能を表示する表示体である曜車６が配設されている。日車５及び曜車６には日を示す数字５ａ（１，２，〜，３１の３１個）及び曜を示す文字６ａ（ＳＵＮ，ＭＯＮ，〜，ＳＡＴの７個）がそれぞれ等間隔に印刷されており、数字５ａと文字６ａは共に文字板
３の一つの窓３ａに並んで現在の日、曜を表示している。ムーブメント４の後述する指針軸は文字板３の上に突出しており、同じ外装部品である時、分及び秒を表示する表示体である時針７、分針８及び秒針９がそれぞれ固定されて時刻表示部を構成し、通常の時刻を表示している。
【００３０】
ムーブメント４には、図２に示すように、日車５を駆動するための駆動装置としての第１のステップモータである日モータ１０、並びに日モータ１０の動力を日車５に伝達し駆動するための複数の歯車で構成された第１の輪列１１と、曜車６を駆動するための駆動装置としての第２のステップモータである曜モータ１２、並びに曜モータ１２の動力を曜車６に伝達し駆動するための複数の歯車で構成された第２の輪列１３とが配設されている。第１の輪列１１は日中間車（１）１１ａ、日中間車（２）１１ｂ、日中間車（３）１１ｃ及び日回し車１１ｄからなり、第２の輪列１３は曜中間車（１）１３ａ、曜中間車（２）１３ｂ、曜中間車（３）１３ｃ、曜中間車（４）１３ｄ、曜中間車（５）１３ｅ及び曜中間車（６）１３ｆからなっている。
【００３１】
図３は第２の輪列１３側の断面を示している。図３に示すように、ムーブメント４には、地板１４の中央に後述する第３の輪列の一部である二番車１５が配設され、地板１４の筒部には筒車２０が係合し、二番車中心穴から四番車１６の真が貫通している。筒車２０の筒部、二番車１５の筒部及び四番車１６の真は文字板３の中央穴３ｂを貫通して文字板３上に突出していて指針軸を構成している。第２の輪列１３の一部である曜中間車（５）１３ｅ及び最終段の曜中間車（６）１３ｆは地板１４に軸支されて互いに係合しており、曜車押さえ１７によって押さえられている。曜車６は曜車押さえ１７の中央筒部１７ａに回動自在に嵌挿され、曜車座６ａによって止められており、曜中間車（６）１３ｆと係合している。
【００３２】
次に、図４を参照してこの腕時計１のシステム構成について説明する。ムーブメント４には、日モータ１０の駆動制御を実施する制御手段としての制御回路１８並びに曜モータ１２の駆動制御を実施する制御手段としての制御回路１９が配設されている。ムーブメント４には更に、秒針９、分針８及び時針７を駆動するための駆動装置である第３のステップモータ及びその制御回路並びに第３のステップモータの駆動力を各指針に伝達する第３の輪列も配設されているが、これらは本発明には直接関係しないので、図示及び説明を省略する。
【００３３】
次に、この腕時計１の動作について説明する。日モータ１０は、制御回路１８により１５０ステップ／日で駆動され、その駆動力は第１の輪列１１により伝達されて日車５を３１日で１周させる。曜モータ１２は制御回路１９により日替わり毎に７２０ステップで早送り駆動されて、その駆動力は第２の輪列１３により伝達されて曜車６を７日で１周させる。
【００３４】
次に、本発明の第２の実施の形態について図面に基づいて説明する。図５は本発明の第２の実施の形態であるビッグデート表示機能付きアナログ式電子腕時計の平面図である。図６はこの時計のシステム構成を示すブロック図である。
【００３５】
図５において、アナログ式電子時計としての腕時計２１は、通常時刻の他に文字板２３の大きな窓２３ａに大型の日付表示がなされるいわゆるＢＩＧＤＡＴＥ（ビッグデート）表示機能付き腕時計を示している。この腕時計２１が腕時計１と異なるところは、表示体である日車５が同形状の第１日車２５に替わり、第１日車２５上の印刷が替わっているところであり、また曜車６が同形状の第２日車２６に替わり、第２日車２６上の印刷並びに曜モータ１２を制御する制御回路１９が制御回路３９に替わっている点のみである。第１日車２５には、日車５の日の数字５ａのうち、１の位の数字２５ｂ（１，〜，９，０，〜
，９，０，〜，９，０，１の順に３１個）のみが等間隔に印刷されている。第２日車２６には、曜を表示する文字６ａの替わりに日の１０の位の数字及び空白２６ｂ（空白、１，２，３の順に４個）が等間隔に印刷されている。
【００３６】
次に、本発明の第２の実施の形態の腕時計２１の動作について説明する。第１日車２５は腕時計１と同様に駆動される。第２日車２６は、制御回路３９によって１２６ステップ／日で駆動される曜モータ１４によって、数字及び空白２６ｂが１０日毎に１０日分早送りで切り替えられる。
【００３７】
次に、本発明の第２の実施の形態の効果について説明する。どちらも腕時計１と同じ形状の日車５及び曜車６を共通部品として用いながら、その部品上の印刷のみを変更して第１日車２５及び第２日車２６とし、曜モータ１２を制御する制御回路３９を変更するだけで容易にビッグデートという異なる表示機能を有する腕時計を構成することができる。
【００３８】
次に、本発明の第３の実施の形態を図面に基づいて詳細に説明する。図７は本発明の第３の実施の形態である２４時間制の時表示機能付きアナログ式電子腕時計の平面図、図８はこの時計のムーブメントの平面図、図９はこの時計のムーブメントの要部断面図である。図１０はこの時計のシステム構成を示すブロック図である。
【００３９】
次に、本発明の第３の実施の形態の構成を図７〜図１０を参照して説明する。図７において、アナログ式電子時計としての腕時計４１は、通常時刻の他に２４時間制の時針４７により２４時間制の時及び日を表示する。図８に示すように、腕時計４１が腕時計１と異なるところは、曜車６が２４時間時針４７が固定されている第二筒車４６に置き換わっているところであり、従って、文字板４３の窓４３ａには日車５の数字５ａのみが表示されている。また、図８に示すように、第２の輪列５３を構成する各歯車及び２４時間モータ５２は、それぞれ腕時計１の輪列１３及び曜モータ１２と同形状ではあるが、名称のみがそれぞれ「曜」から「２４時間」に変わっている。
【００４０】
図９に示すように、曜車６が第二筒車４６に置き換わることに伴って、第二筒車４６は時計の厚さ方向に異なる位置に取り付けられる表示体であり、第２の輪列５３の最終段の中間車（６）５３ｆとの噛み合い位置が、時計の厚さ方向で異なっている。しかし、この点については第２の輪列５３のうち一つの歯車だけを、曜中間車（６）１３ｆと同じ歯数を有しながら高さのみを高くした２４時間中間車（６）５３ｆに置き換えることによって対応できている。更に、２４時間時針４７の配設に伴って、時７、分８、秒針９の取り付け位置が異なるために、曜車押さえ１７が日車押さえ５７に、筒車２０、二番車１５及び四番車１６がそれぞれ歯形歯数には変更ないが時計の厚さ方向に寸法が大きくなった第一筒車６０、二番車５５及び四番車５６に変更されている。また、図１０に示すように、曜を駆動するための制御回路１９は２４時間モータ５２を制御するための制御回路５９に替わっている。この腕時計４１のムーブメント４４のその他の構成要素は、第１の実施の形態のムーブメント４のものと同じであるので、同じ構成要素には同じ符号と名称とを用いて説明を省略する。
【００４１】
次に、本発明の第３の実施の形態の動作について説明する。異なる制御回路５９により２１０ステップ／時で駆動される２４時間モータ５２の駆動力は第２の輪列５３により伝達されて第二筒車４６を２４時間で１周させる。その他の動作は第１の実施の形態の腕時計１と同じである。なお、１時間あたりに２１０ステップを２４時間モータ５２にて送ると上述したが、日や曜と異なり、２４時間表示の場合は、毎正時（００分のタイミング）で２１０ステップを早送りしたのでは２４時間表示として不自然なため、２分ごとに７ステップずつ早送りする実施形態を採用している。
【００４２】
次に、本発明の第３の実施の形態の効果について説明する。腕時計１の表示体である曜車６に対して、時計の厚さ方向の寸法が異なる表示体である第二筒車４６を駆動させるためには、第２の輪列の最終段の歯車の高さだけを変更することによって対応し、筒車２０、二番車１５、及び四番車１６を高さ寸法のみが変更された第一筒車６０、二番車５５及び四番車５６に、曜車押さえ１７を日車押さえ５７に、曜駆動の制御回路１９を２４時間駆動の制御回路５９にそれぞれ交換することによって、２４時間表示の腕時計４１を構成することができる。
【００４３】
次に、本発明の第４の実施の形態を図面に基づいて説明する。図１１は本発明の第４の実施の形態であるワールドタイム及び日表示機能付きアナログ式電子腕時計の平面図である。まず、第４の実施の形態の構成について説明する。図１１において、アナログ式電子時計としての腕時計６１は、ワールドタイム及び日表示機能付き腕時計であり、時字６３ａ及び日窓６３ｂを外周に有する文字板６３の外側に外装部品である見返しリング６５が配設されている。見返しリング６５には世界の主要都市を示す図示しない文字が時差に従った順序で印刷されている。文字板６３の日窓６３ｂの内側にリング部６６ａを有してワールドタイム円板６６が配設されており、リング部６６ａを支持するアーム６６ｂが文字板６３上に突出した第二筒車４６の筒部に固定されている。
【００４４】
リング部６６ａ上には２４時間制で時を表示する数字６６ｃ（１〜２４）が等間隔に印刷されている。このように、この腕時計６１が腕時計４１と異なるところは、２４時間時針４７がワールドタイム円板６６に置き換わった点のみであり、その他の構成要素は第３の実施の形態である腕時計４１と同じであるから、同じ構成要素には同じ符号と名称とを用いて説明を省略する。時計６１のムーブメントはムーブメント４４と全く同じものであり、動作も時計４１と同じである。従って、２４時間時針４７をワールドタイム円板に変更するだけで、世界の都市の時刻を表示できるワールドタイム表示機能を有する腕時計を構成することができる。
【００４５】
図１２は、以上説明した各実施の形態の腕時計１、２１、４１及び６１のシステム構成のうち、異なる仕様の表示体を駆動する第２のステップモータ側のシステム構成に注目したブロック図である。図１２に示すように、この腕時計１、２１、４１、６１では、第２の輪列を構成する複数の歯車の構成を変更すること無く、異なる機能の前記表示体を駆動可能に構成されており、異なる機能の仕様の表示に対応した複数種類の表示体である曜車６、第２日車２６、２４時間時針４７及びワールドタイム円板６６に対応して、駆動制御方法を変更可能に構成されたそれぞれ固有の制御回路１９、３９、５９が選択使用される。これらの制御回路においては、第２のモータを駆動する駆動手段であるモータドライバ７５に駆動信号を送るＣＰＵ７６が接続され、ＣＰＵ７６には各々の表示体に対応する固有の制御プログラムが記憶されたＲＯＭ７７及びカレンダーデータが記憶されたＲＡＭ７８が接続されている。
【００４６】
第２のステップモータが異なる仕様の複数種類の表示体の各々に対応することができるためには、第２のステップモータの前記表示体を１周させることが可能なステップ数は、各表示体の駆動周期数の最小公倍数、もしくは、その整数倍に相当するステップ数となる。しかし、実際には、表示の滑らかさやモータ駆動力、保持力を確保する必要からその整数倍に相当するステップ数が必要になる。例えば、腕時計１と腕時計４１とに共通使用する第２のステップモータの最低必要なステップ数は、７と２４との最小公倍数１６８ステップとなるが、実際にはこの３０倍である５０４０が採用されている。
【００４７】
この腕時計のムーブメント４、２４、４４では、共通の第２のモータ及び第２の輪列を用いながら、他のムーブメント部品の一部を変更する場合はあるが、基本ムーブメント組立時に表示体に合わせて制御回路を選択して組み込み、基本ムーブメント組立後に表示体
が組み込まれる。基本ムーブメントを共通に使用しながら、容易に顔のデザインの異なる表示機能を有するアナログ式電子腕時計を構成することができるので、生産管理が大幅に簡略化され、コストダウンに寄与できる。
【００４８】
以下に、図１２のシステム構成を基本として、その制御回路を更に進化させた腕時計のシステム構成について説明する。図１３は本発明の第５の実施の形態であるアナログ式電子腕時計のシステム構成を示すブロック図である。図１３において、制御回路８４にはオプション設定８３のための配線パターンが設けられている。基本ムーブメント組み込み時には、共通の制御回路８４を組み込み、後の異なる仕様の表示体組み込み時に、表示体に合わせて半田オプション、又はパターンカットなどのハード的なオプションによって選択した配線から信号をＣＰＵ７６に入力し、予め各々の表示体に対応するプログラムが記憶されているＲＯＭ８２を選択することになる。オプション設定８３を設けることによって、異なる仕様の表示体に対しても共通の制御回路８４を使用できることになるので、ひいては基本ムーブメント８５を共通化できることになり、第２のステップモータと第２の輪列と制御回路８４が既に時計に組み込まれた状態で、各々の表示体に対応する駆動制御方法が変更可能に構成されている。従って、表示仕様の異なる腕時計の生産管理を一層簡略化できる。
【００４９】
図１４は、本発明の第６の実施の形態であるアナログ式電子腕時計の発展形２のシステム構成を示すブロック図である。図１４において、この腕時計９１の制御回路９６は、書き換え可能なプログラムＲＯＭ（ＥＰＲＯＭ）であるＲＯＭ９２を有するマイクロコンピュータであり、外部の装置９５からのデータを、通信手段９４と、通信手段９４が入力したデータに基づき、ＲＯＭ９２の内容を書き換えるための書換手段９３とが配設されている。基本ムーブメント組み込み後に、通信手段９４によってＲＯＭ９２を書き換えることによって異なる仕様の表示体の駆動制御方法を変更することができる。従って、異なる仕様の表示体に対して基本ムーブメント９７は共通使用できる。ＲＯＭ９２には高価なＥＰＲＯＭを使用することになるが、制御回路９６を統一することができ、従って、表示仕様の異なる腕時計の生産管理を更に簡略化できる。また、時計に通信用接点を設ける必要がなく、オプション選択用の端子なども不要のため、ムーブメントを小型化することができる。
【００５０】
なお、通信手段としては接触式でも良いが、非接触方式を採用する方が時計に通信用接点を設ける必要がなく、オプション選択用の端子なども不要のため、ムーブメントを小型化に対し、より有効である。非接触通信としては、赤外線通信なども採用可能であるが、後述するコイル通信が時計の場合は好ましい。
【００５１】
図１５は、本発明の第７の実施の形態であるアナログ式電子腕時計の発展形３のシステム構成を示すブロック図である。この腕時計１０１の制御回路１０６が腕時計９１の制御回路９６と異なるところは、書き換え可能な機能選択用メモリであるオプションメモリ１０３が書換手段９３とＣＰＵ７６との間に追加されているところである。書換手段９３を通じてオプションメモリ１０３を書き換えることによって信号をＣＰＵ７６に入力し、予め準備された仕様の異なるＲＯＭ１０２を選択して各々の表示体に対応した駆動制御方法を変更する。この場合は腕時計９１と同様の効果に加えて、ＲＯＭに安価なＭＲＯＭやＯＰＴＲＯＭが使えるのが利点であり、異なる仕様の表示体に対応する腕時計１０１のコストダウンに寄与できる。
【００５２】
図１６は、本発明の第８の実施の形態であるアナログ式電子腕時計の発展形４のシステム構成を示すブロック図である。この腕時計１１１が腕時計９１と異なるところは、通信手段として時計内に存在しているコイルを用いて、磁気的に通信を行っているところである。コイルは、専用のコイルを使用する必要はなく、表示手段駆動用のステップモータの
コイル７４ａを兼用できる。コイル通信に用いられるコイルとして、ステップモータのコイル７４ａを受信用アンテナとして磁気的な通信を行うことで、この腕時計１１１には特別な受信手段が要らないので、腕時計９１と同様の効果をより安価に達成できる。
【００５３】
なお、図１６の実施例では、通信に使用するモータとして第２のモータのコイル７４ａを使用しているが、他のモータのコイルを使用しても良い。特に、日モータ１０は、１日に１回日付変更時のみ駆動されるので、通信に使用するには好都合である。また、図１６の実施例では、書換手段９３によってＲＯＭ９２を書き換える構成になっているが、これを図１５に示したように、書換手段９３によってオプションメモリの書き換えを行うように構成しても良い。このようにすることで、腕時計９１のより一層の小型化が可能である。
【図面の簡単な説明】
【００５４】
【図１】本発明の第１の実施の形態である日曜表示機能付アナログ式電子腕時計の平面図である。
【図２】図１の時計のムーブメントの平面図である。
【図３】図１の要部断面を示す断面図である。
【図４】図１の時計のシステム構成を示すブロック図である。
【図５】本発明の第２の実施の形態であるＢＩＧＤＡＴＥ表示機能付アナログ式電子腕時計の平面図である。
【図６】図５の時計のシステム構成を示すブロック図である。
【図７】本発明の第３の実施の形態である日及び２４時間制時表示機能付アナログ式電子腕時計の平面図である。
【図８】図７の時計のムーブメントの平面図である。
【図９】図７の要部断面を示す断面図である。
【図１０】図７の時計のシステム構成を示すブロック図である。
【図１１】本発明の第４の実施の形態である日及びワールドタイム表示機能付アナログ式電子腕時計の平面図である。
【図１２】本発明の第１〜第４の実施の形態であるアナログ式電子腕時計の基本システム構成を示すブロック図である。
【図１３】本発明の第５の実施の形態であるアナログ式電子腕時計のシステム構成を示すブロック図である。
【図１４】本発明の第６の実施の形態であるアナログ式電子腕時計のシステム構成を示すブロック図である。
【図１５】本発明の第７の実施の形態であるアナログ式電子腕時計のシステム構成を示すブロック図である。
【図１６】本発明の第８の実施の形態であるアナログ式電子腕時計のシステム構成を示すブロック図である。
【符号の説明】
【００５５】
１、２１、４１、６１、８１、９１、１０１、１１１  腕時計
６  曜車
１２  曜モータ
１３  第２の輪列
１９、３９、５９  制御回路
２６  第２日車
４６  第二筒車
４７  ２４時間制の時針
５２  ２４時間モータ
６６  ワールドタイム円板
７４ａ  モータコイル
９２、１０２  ＲＯＭ
９４  通信手段
【図１】
2009103658.tif 000003
【図２】
2009103658.tif 000004
【図３】
2009103658.tif 000005
【図４】
2009103658.tif 000006
【図５】
2009103658.tif 000007
【図６】
2009103658.tif 000008
【図７】
2009103658.tif 000009
【図８】
2009103658.tif 000010
【図９】
2009103658.tif 000011
【図１０】
2009103658.tif 000012
【図１１】
2009103658.tif 000013
【図１２】
2009103658.tif 000014
【図１３】
2009103658.tif 000015
【図１４】
2009103658.tif 000016
【図１５】
2009103658.tif 000017
【図１６】
2009103658.tif 000018